(57)【要約】【課題】取り外し可能な小冊子を有する冊子であり、特に小冊子の大きさに限定されず、取り外しの容易な小冊子付き冊子を提供すること。【解決手段】冊子の見開き頁の一方の紙片に小冊子を貼り付けてなる小冊子付き冊子であって、前記小冊子の表紙の一方の小口辺より延接した紙片を設け、前記延接した紙片の小冊子の本文側の面を前記見開き頁の一方の紙片に貼り付けてなること、また、前記小口辺より延接した紙片は、折れ線及び／又は弱化線を介して延接してなること、また前記小冊子の背を前記見開き頁の一方の紙片の小口側とし、前記小冊子の延接した紙片を前記見開き頁の一方の紙片の綴部側としたことを特徴とする。【選択図】図１
2004122655.tif 000002
【特許請求の範囲】
【請求項１】
冊子の見開き頁の一方の紙片に小冊子を貼り付けてなる小冊子付き冊子であって、前記小冊子の表紙の一方の小口辺より延接した紙片を設け、前記延接した紙片の小冊子の本文側の面を前記見開き頁の一方の紙片に貼り付けてなることを特徴とする小冊子付き冊子。
【請求項２】
前記小口辺より延接した紙片は、折れ線及び／又は弱化線を介して延接してなることを特徴とする請求項１記載の小冊子付き冊子。
【請求項３】
前記小冊子の背を前記見開き頁の一方の紙片の小口側とし、前記小冊子の延接した紙片を前記見開き頁の一方の紙片の綴部側としたことを特徴とする請求項１または２のいずれか記載の小冊子付き冊子。
【発明の詳細な説明】
【０００１】
【発明の属する技術分野】
本発明は取り外し可能な小冊子付き冊子に関する。
【０００２】
【従来の技術】
従来の小冊子付き冊子としては小冊子を見開きに挟んでこの見開きに設けた小穴から冊子に仮接着したものがある（例えば、特許文献１参照）。
【０００３】
【特許文献１】
特開平１−６３１９６号公報
【０００４】
また、冊子状の折丁を印刷と同時に１乃至２箇所綴じ込んだものもある（例えば、特許文献２参照）。
【０００５】
【特許文献２】
実開平６−５７６６５号公報
【０００６】
しかしながら、前者の構造であれば、小冊子を挟むための小穴の開いた折丁を別工程で作成したうえに小冊子を挟み込む必要があり、製造工程が複雑なものであった。また、後者の構造であれば、分離する際に針金を外すという作業を行なわねばならず、また両者とも冊子の大きさはほぼ同型のものに限られるという制限があった。
【０００７】
【発明が解決しようとする課題】
本発明はこのような問題点を解決するためになされたものであり、その課題とするところは、取り外し可能な小冊子を有する冊子であり、特に小冊子の大きさに限定されず、取り外しの容易な小冊子付き冊子を提供することにある。
【０００８】
【課題を解決するための手段】
本発明はこの課題を解決するため、すなわち請求項１記載の発明は、冊子の見開き頁の一方の紙片に小冊子を貼り付けてなる小冊子付き冊子であって、前記小冊子の表紙の一方の小口辺より延接した紙片を設け、前記延接した紙片の小冊子の本文側の面を前記見開き頁の一方の紙片に貼り付けてなることを特徴とする小冊子付き冊子である。
【０００９】
本発明はこの手段により、小冊子は大きさが特に制限されることがなく、小冊子はその本文側が冊子の内側となるので冊子を開いた状態でも小冊子が開くことがなく、読者の興味を引くことが可能となる。
【００１０】
また、請求項２記載の発明は、前記小口辺より延接した紙片は、折れ線及び／又は弱化線を介して延接してなることを特徴とする請求項１記載の小冊子付き冊子である。
【００１１】
本発明はこの手段により、折れ線より小冊子を折り返すことで小冊子の裏表紙側より小冊子を開くことが可能となり、弱化線より小冊子を切り離すことで、小冊子を冊子から取り外すことが可能となる。
【００１２】
また請求項３記載の発明は、前記小冊子の背を前記見開き頁の一方の紙片の小口側とし、前記小冊子の延接した紙片を前記見開き頁の一方の紙片の綴部側としたことを特徴とする請求項１または２のいずれか記載の小冊子付き冊子である。
【００１３】
本発明はこの手段により、小冊子を冊子の見開きのもう一方の頁上に折り返すことで、小冊子を冊子上に展開することで冊子を開くのに余分のスペースを必要とせず、かつ小冊子により隠れた冊子の一方の頁の内容を確認することが可能となる。
【００１４】
【発明の実施の形態】
以下、本発明を図面に基づき詳細に説明する。
図１に本発明の小冊子付き冊子の構造の一例を示す。冊子１を見開いた状態であり、この見開き頁の一方の紙片２に、小冊子３の表紙より折れ線（弱化線）４を介して延接された紙片５の小冊子の本文側を紙片２に貼り付けている。
【００１５】
本発明における冊子１とその見開き頁の一方の紙片２としては、雑誌、書籍、パンフレット等複数の紙片からなるものであれば特に限定するものではないが、小冊子を綴じ込んた状態で複数の冊子を重ねたときなどで頁面に圧力がかかったときに応力を低減できることから、中綴本であり、見開き頁の一方の紙片はその中心の見開き頁の一方の紙片であることが好適である。
【００１６】
本発明における小冊子３としては、数枚の紙片を綴じたものであり、紙片２に貼り合せられる大きさのものであれば良い。
【００１７】
本発明における折れ線（弱化線）４としては、ミシン目線や破断線、カットテープなどが挙げられるが、折れ線ともなり、折り返して小冊子３を開いて見ることが可能となることからミシン目線が特に好適に可能である。
【００１８】
本発明における延接された紙片５としては、小冊子３の小口側より延接されたものであれば特に限定するものではないが、小冊子の小口側より天地を同じ長さで延長した矩形であることが製造工程上も容易であり、好ましい。
なおこの場合は折れ線（弱化線）４は小冊子３の本文の小口より背側にわずかに引き込んで平行に設けることが好ましい。このようにすることで、小冊子の製造工程において延接された紙片５を折り返した状態で小冊子を丁合し、綴じ合せ、三方断裁することで容易に製造が可能となる。
また、紙片５に印刷を設ける場合は、小冊子３の表紙の印刷を延長したものであってもよいし、切り取った後に冊子の一方の紙片の印刷と合致した内容のものを印刷したものであってもよい。
【００１９】
本発明における小冊子３を貼り付ける位置としては、紙片２上に設けるものであれば特に限定するものではないが、図１に示すように、小冊子３の綴部を冊子１の小口側とし、紙片５を冊子１の綴部側とすることで、小冊子を開いたとき、冊子の見開きのもう一方の紙片上に小冊子３が展開することから、場所をとらず、冊子を開いた状態で小冊子を支えることができ、容易に小冊子を捲ることが可能となり、閉じるときも冊子１とともに閉じることが可能となる。
さらに紙片５を冊子１の綴部側とすることで、見開き頁の一方の紙片２の記事を見る際に、小冊子３をもう一方の紙片上に折り返すことで、記事を全て遮ることなく見ることが可能となる。
さらに小冊子３の天側あるいは地側（図１では地側）を冊子１と揃えれば冊子１と小冊子３の捲りや閉じを容易なものとし、製造工程上も小冊子３を綴じ合せる際の位置合わせが容易なものとなり、さらに見た目も良いものとなる。
【００２０】
【発明の効果】
以上に示したように、本発明の請求項１記載の発明により、小冊子は大きさが特に制限されることがなく、小冊子はその本文側が冊子の内側となるので冊子を開いた状態でも小冊子が開くことがなく、読者の興味を引くことが可能となるという作用効果を奏する。
【００２１】
また、請求項２記載の発明により、折れ線より小冊子を折り返すことで小冊子の裏表紙側より小冊子を開くことが可能となり、弱化線より小冊子を切り離すことで、小冊子を冊子から取り外すことが可能となるという作用効果を奏する。
【００２２】
また、請求項３記載の発明により、小冊子を冊子の見開きのもう一方の頁上に折り返すことで、小冊子を冊子上に展開することで冊子を開くのに余分のスペースを必要とせず、かつ小冊子により隠れた冊子の一方の頁の内容を確認することが可能となるという作用効果を奏する。
【図面の簡単な説明】
【図１】本発明における小冊子付き冊子の一実施例における状態を示す説明図である。
【符号の説明】
１…冊子
２…冊子の見開き頁の一方の紙片
３…小冊子
４…折れ線（弱化線）
５…延接された紙片
【図１】
2004122655.tif 000003